(57)【要約】  装置及びシステム、並びに方法及び物品が、一対の非不透明電極間に配置される発光材料層の一方の側から画像情報を表示するように動作することができる。その画像情報は、電極のうちの一方に隣接する、おそらく導電性シリコン層に隣接する透明基板を通じて表示することができる。また、その画像情報は、発光材料層の他方の側から概ね同時に表示することもできる。【選択図】  図１Ａ
2008544501.tif 000002
【特許請求の範囲】
【請求項１】
透明基板と、
前記透明基板に隣接する非不透明切替部品層と、
前記非不透明切替部品層に隣接する発光材料層と、
前記発光材料層に隣接する非不透明導電層と
を備える、装置。
【請求項２】
前記発光材料層は発光ダイオードを含む、請求項１に記載の装置。
【請求項３】
前記発光材料層は有機発光ダイオードを含む、請求項１に記載の装置。
【請求項４】
前記発光材料層は、少なくとも２つの色を有する一群の発光デバイスを含む、請求項１に記載の装置。
【請求項５】
前記透明基板はガラス材料及びセラミック材料のうちの一方を含む、請求項１に記載の装置。
【請求項６】
前記非不透明切替部品層は結晶シリコンを含む、請求項１に記載の装置。
【請求項７】
前記発光材料層によって表示される画像情報を反射するミラーをさらに備える、請求項１に記載の装置。
【請求項８】
前記発光材料層によって表示される画像情報を合焦するレンズをさらに備える、請求項１に記載の装置。
【請求項９】
前記非不透明導電層は酸化インジウムスズを含む、請求項１に記載の装置。
【請求項１０】
前記非不透明切替部品層に隣接する絶縁層をさらに備える、請求項１に記載の装置。
【請求項１１】
前記非不透明導電層に隣接する透明カバーをさらに備える、請求項１０に記載の装置。
【請求項１２】
透明基板と、該透明基板に隣接する非不透明切替部品層と、該非不透明切替部品層に隣接する発光材料層と、該発光材料層に隣接する非不透明導電層とを含む２画面ディスプレイと、
収集された画像情報を前記発光材料層に送信する光エネルギー／電気エネルギー変換デバイスと
を備える、システム。
【請求項１３】
前記光エネルギー／電気エネルギー変換デバイスは、電荷結合デバイス及び相補形金属酸化膜半導体デバイスのうちの一方を含む、請求項１２に記載のシステム。
【請求項１４】
前記収集された画像情報の一部を格納するメモリをさらに備える、請求項１２に記載のシステム。
【請求項１５】
前記収集された画像情報の一部を無線ネットワークに送信するアンテナをさらに備える、請求項１２に記載のシステム。
【請求項１６】
前記発光材料層によって表示される、前記収集された画像情報の一部を反射するミラーをさらに備える、請求項１２に記載のシステム。
【請求項１７】
前記発光材料層によって表示される、前記収集された画像情報の一部を補助視認表面に投影するレンズをさらに備える、請求項１２に記載のシステム。
【請求項１８】
前記非不透明切替部品層は、結晶シリコン及び電極を含む、請求項１２に記載のシステム。
【請求項１９】
画像情報を、一対の非不透明電極間に配置される発光材料層の第１の側から、導電性シリコン層に隣接する前記非不透明電極のうちの第１の電極に隣接する透明基板を通じて表示すること、及び
前記発光材料層の第２の側から前記画像情報を表示すること
を含む、方法。
【請求項２０】
前記画像情報をカメラビューファインダ画像情報として表示することをさらに含む、請求項１９に記載の方法。
【請求項２１】
前記画像情報を補助視認表面に投影することをさらに含む、請求項１９に記載の方法。
【請求項２２】
前記画像情報を反射して鏡像を提供することをさらに含む、請求項１９に記載の方法。
【請求項２３】
前記画像情報を合焦して鏡像を提供することをさらに含む、請求項１９に記載の方法。
【請求項２４】
前記非不透明電極のうちの前記第１の電極を、前記透明材料上にある非不透明切替部品層の一部として形成すること、及び
前記非不透明電極のうちの第２の電極を、前記発光材料層上にある酸化インジウムスズの非不透明導電層として形成すること
をさらに含む、請求項１９に記載の方法。
【請求項２５】
関連する情報を有する機械アクセス可能媒体を備える物品であって、該情報がアクセスされるときに、結果として、機械は、
画像情報を、一対の非不透明電極間に配置される発光材料層の第１の側から、導電性シリコン層に隣接する前記非不透明電極のうちの第１の電極に隣接する透明基板を通じて表示すること、及び
前記発光材料層の第２の側から前記画像情報を表示すること
を実行する、関連する情報を有する機械アクセス可能媒体を備える物品。
【請求項２６】
前記情報がアクセスされるときに、結果として、前記機械は、該画像情報をハンドヘルドデバイス主要情報ディスプレイの一部として表示することを実行する、請求項２５に記載の関連する情報を有する機械アクセス可能媒体を備える物品。
【請求項２７】
前記情報がアクセスされるときに、結果として、前記機械は、該画像情報を車両フロントガラス上に表示することを実行する、請求項２５に記載の関連する情報を有する機械アクセス可能媒体を備える物品。
【発明の詳細な説明】
【技術分野】
【０００１】
本明細書に記述される種々の実施の形態は包括的には情報の表示に関し、ディスプレイデバイスの２つ以上の側又は面から視認することができる情報を表示できるようにするために用いられる装置、システム及び方法を含む。
【背景技術】
【０００２】
ディスプレイの中には、不透明なシリコンウェーハ上の発光デバイス（たとえば、有機発光ダイオード（ＯＬＥＤ））として製造されるものがある。このタイプの構成によれば、ディスプレイの一方の側からしか、表示される情報を視認することができない。
【発明を実施するための最良の形態】
【０００３】
図１Ａ及び図１Ｂは、本発明の種々の実施形態による装置１００及びシステム１１０のブロック図である。装置１００は、両側から視認可能である２画面ディスプレイ１０４を含むことができる。１つ若しくは複数のミラー、プリズム及び／又はレンズを用いて、ディスプレイ１０４のそれぞれの側から入手することができる画像を入れ替え、それらの画像の一方又は両方のいずれかを合焦し、投影することができる。
【０００４】
ここで図１Ａを参照すると、いくつかの実施形態において、装置１００は、透明基板１１４と、透明基板１１４に隣接する切替部品層１２６とを備えることができることが分かる。透明基板１１４は、ガラス材料及び／又はセラミック材料を含むことができる。非不透明切替部品層１２６は、おそらく、エッチングされ、ピクセル１２４のための駆動トランジスタを形成するために用いられる結晶シリコン（ｃ−Ｓｉ）の層１２８と、酸化インジウムスズ（ＩＴＯ）を含むことができる、非不透明電極１２０とを含むことができる。いくつかの実施形態において、装置１００は、ガラス基板１１４を備えることができ、０．１μｍのｃ−Ｓｉの層１２８が、基板に結合される非不透明切替部品層１２６の一部として存在する。
【０００５】
装置１００は、非不透明切替部品層１２６に隣接する発光材料層１２２と、発光材料層１２２に隣接する非不透明導電層１１８とを備えることができる。発光材料層１２２は、１つ又は複数の発光ダイオード（ＯＬＥＤを含む）、レーザ及び１つ又は複数の色（たとえば、赤、青、黄又はシアン、マゼンタ、イエロー）を有する発光デバイスの１つ又は複数のグループのような、多数のデバイスを含むことができる。非不透明導電層１１８は、おそらく、発光材料層１２２又は透明カバー１５０上にコーティングされる、ＩＴＯ材料を含むことができる。
【０００６】
いくつかの実施形態において、装置１００は、発光材料１２２によって表示される画像情報１３８を反射するための１つ又は複数のミラー１３０及び／又はプリズム１３４を備えることができる。また、その装置は、発光材料１２２によって表示される画像情報１３８を合焦するための１つ又は複数のレンズ１４２を備えることもできる。
【０００７】
装置１００には、さらに別の層を追加することもできる。たとえば、いくつかの実施形態では、装置１００は、非不透明切替部品層１２６に隣接する絶縁層１４６を備えることがある。絶縁層１４６は、二酸化シリコン（ＳｉＯ２）を含むことができる。絶縁層１４６は、透明基板１１４上に形成することができ、非不透明切替部品層１２６は、絶縁層１４６上に形成することができるが、その逆も可能である（たとえば、透明基板１１４上に非不透明切替部品層１２６を形成することができ、その後、非不透明切替部品層１２６上に絶縁層１４６を形成することができる）。おそらく透明基板１１４に隣接する非不透明切替部品層１２６を形成する前に、透明基板１１４上にさらに別の絶縁層１４６'を任意選択的に形成して、非不透明切替部品層１２６がもはや透明基板１１４に接触しないようにすることができる。
【０００８】
また、装置１００は、非不透明導電層１１８に隣接して、おそらくガラス材料及び／又はセラミック材料を含む透明カバー１５０も備えることができる。いくつかの実施形態では、装置１００は、おそらく発光材料層１２２に隣接して配置され、個々のピクセル１２４を分離するために用いられる、吸光材料層１５２を備えることができる。
【０００９】
本明細書において、１つの層を別の層に「隣接して」配置することは、第１の層が、介在する層を用いることなく、或いは１つ又は複数の介在する層を用いて、第２の層に対して配置されることを意味する。１つの層を別の層に「接触して」配置することは、第１の層が、介在する層を用いることなく、第２の層に対して配置されることを意味する。いくつかの実施形態において、層１１４、１１８、１２０、１２２、１２６、１２８、１４６、１４６'、１５０及び１５２は、互いに隣接することがある。いくつかの実施形態において、層１１４、１１８、１２０、１２２、１２６、１２８、１４６、１４６'、１５０及び１５２は、互いに接触することもある。したがって、本明細書において、層１１４、１１８、１２０、１２２、１２６、１２８、１４６、１４６'、１５０及び１５２が互いに隣接するものと説明される場合には、いかなる箇所であっても、それらの層は互いに接触するものと説明することもできる。
【００１０】
非不透明である材料は、半透明又は透明であることができ、その上に入射する光のうちの５％よりも多くの光が透過する。いくつかの実施形態において、非不透明材料は、その上に入射する光のうちの１０％よりも多くの光を、又は２０％よりも多くの光を、又は３０％よりも多くの光を、又は４０％よりも多くの光を、又は５０％よりも多くの光を、又は６０％よりも多くの光を、又は７０％よりも多くの光を、又は８０％よりも多くの光を透過することができる。いくつかの層１１４、１１８、１２０、１２２、１２６、１４６及び１５０は、全体として非不透明であることができるが、切替部品層１２６内にあるｃ−Ｓｉ１２８のような、部品又は部品接続を形成するために用いられる不透明材料（たとえば、シリコン、金、銀、スズ、インジウム等）を含むことができる。
【００１１】
他の実施形態を実現することもできる。たとえば、図１Ｂに示されるように、システム１１０が、１つ又は複数の２画面ディスプレイ１０４を備える、上記のような１つ又は複数の装置１００を備えることができる。また、システム１１０は、収集された画像情報１５８を発光材料層１２２（図１を参照）に送信するための光エネルギー／電気エネルギー変換デバイス１５４も備えることができる。光エネルギー／電気エネルギー変換デバイス１５４は、特に、ソニー社製ＩＣＸ２８２ＡＱフレーム読出しＣＣＤイメージセンサと概ね若しくは全く同じ電荷結合デバイス（ＣＣＤ）、又はVLSI Vision社製ＶＶ６８０１イメージセンサと概ね若しくは全く同じ相補形金属酸化膜半導体（ＣＭＯＳ）デバイスを含むことができる。
【００１２】
いくつかの実施形態では、透過型ボトムエミッタマイクロＯＬＥＤデバイスのような、１つ又は複数のデバイス１１６を、ｃ−Ｓｉオンガラス（c-Si-on-glass）（ＣＳＯＧ）基板１６２上に、発光材料層１２２の一部として形成することができる。装置１００の１つの応用形態は、ビューファインダ１７０及びカメラ背面モニタ１７４のために同じ２画面ディスプレイ１０４を用いるデジタルカメラ１６６を含む。また、システム１１０は、収集された画像情報１５８の一部を格納するためのメモリ１７８、及び収集された画像情報１５８の一部を、おそらく無線ネットワーク内に収容される１つ又は複数の遠隔受信機１８６に伝送するためのアンテナ１８２も備えることができる。
【００１３】
いくつかの実施形態では、システム１１０は、発光材料層１２２によって表示される、収集された画像情報１５８の一部を反射するための１つ又は複数のミラー１３０も備えることができる。また、システム１１０は、発光材料層１２２によって表示される、収集された画像情報１５８の一部を、特に、投影スクリーン、壁、車両フロントガラス、又はハンドヘルドデバイス補助情報ディスプレイ（たとえば、閉じた折畳式携帯電話の補助ディスプレイ）のような補助視認表面１９０に投影するための１つ又は複数のレンズ１４２を備えることもできる。
【００１４】
これまでに説明された部品のうちの任意の部品を、ソフトウエアによるシミュレーションを含む、多数の方法で実現することができる。したがって、装置１００、２画面ディスプレイ１０４、システム１１０、透明基板１１４、デバイス１１６、非不透明導電層１１８、非不透明電極１２０、発光材料層１２２、ピクセル１２４、非不透明切替部品層１２６、ｃ−Ｓｉ１２８、ミラー１３０、プリズム１３４、画像情報１３８、レンズ１４２、絶縁層１４６、１４６'、透明カバー１５０、吸光材料層１５２、光エネルギー／電気エネルギー変換デバイス１５４、収集された画像情報１５８、ＣＳＯＧ基板１６２、デジタルカメラ１６６、ビューファインダ１７０、カメラ背面モニタ１７４、メモリ１７８、アンテナ１８２、遠隔受信機１８６及び補助視認表面１９０は全て、本明細書において、「モジュール」として特徴付けられることができる。
【００１５】
そのようなモジュールは、装置１００及びシステム１１０の設計者によって望まれるように、且つ種々の実施形態の個々の実施態様に相応しいように、ハードウエア回路、シングルプロセッサ回路及び／又はマルチプロセッサ回路、メモリ回路、ソフトウエアプログラムのモジュール及びオブジェクト、及び／又はファームウエア、並びにそれらの組み合わせを含むことができる。たとえば、そのようなモジュールは、ソフトウエア電気信号シミュレーションパッケージ、電力の使用及び分配のシミュレーションパッケージ、キャパシタンス−インダクタンスシミュレーションパッケージ、電力／熱損失シミュレーションパッケージ、信号送信−信号受信シミュレーションパッケージ、並びに／又は種々の潜在的な実施形態を動作させるか、若しくはその動作をシミュレートするために用いられるソフトウエア及びハードウエアの組み合わせのような、システム動作シミュレーションパッケージ内に含まれることができる。
【００１６】
種々の実施形態の装置及びシステムは、デジタルカメラ、携帯電話、ヘッドアップディスプレイ及びプロジェクタ以外の用途において用いることができ、それゆえ、種々の実施形態は、そのような用途に限定されないことも理解されたい。装置１００及びシステム１１０の例示は、種々の実施形態の構造を理解してもらうことを意図しており、それらは、本明細書において記述される構造を利用することがある装置及びシステムの全ての要素及び機構を完全に説明するための役割を果たすことは意図していない。
【００１７】
種々の実施形態の新規の装置及びシステムを含むことがある応用形態は、高速コンピュータにおいて用いられる電子回路、通信回路及び信号処理回路、モデム、シングルプロセッサモジュール及び／又はマルチプロセッサモジュール、単一及び／又は多数の内蔵プロセッサ、データスイッチ、並びにマルチレイヤ、マルチチップモジュールを含む、特定用途向けモジュールを含む。そのような装置及びシステムはさらに、テレビ、携帯電話、パーソナルコンピュータ、ワークステーション、ラジオ、ビデオプレーヤ、車両等の種々の電子システム内にサブコンポーネントとして収容されることができる。
【００１８】
いくつかの実施形態は、多数の方法を含むことがある。たとえば、図２は、本発明の種々の実施形態によるいくつかの方法２１１を例示する流れ図である。方法２１１は、ブロック２２１において、透明材料の層上にある結晶シリコンの層に隣接して第１の非不透明電極を（おそらく、ｃ−Ｓｉを含む非不透明切替部品層の一部として）形成すること、及び、おそらく第１の非不透明電極上に直に、ブロック２２５において、発光材料層を形成することを含むことができる。方法２１１は、ブロック２３１において、発光材料層上に、又は透明カバー上に、第２の非不透明電極（たとえば、ＩＴＯを含む非不透明導電層として）形成することを含むことができる。ブロック２３５では、１つ又は複数の絶縁層（たとえば、アモルファスＳｉＯ２を含む、アモルファスシリコンを含む）及び透明カバーのような他の層を、非不透明導電層上に形成することができる。実際には、図１Ａに示される全ての層は、説明された順序で、又は異なる順序で、又は任意の所望の順序で形成することができる。ここで説明される製造工程を用いるものとすると、ここで、おそらく、従来のＯＬＥＤ製造に適用されるのと概ね又は全く同じいくつかの作業を利用して、２画面ディスプレイをガラス基板上に製造することができる。
【００１９】
したがって、いくつかの実施形態において、方法２１１は、ブロック２４１において、透明基板を通じて、一対の非不透明電極間に配置される発光材料層の第１の側からの画像情報を表示することを含むことができる。透明基板は、非不透明電極のうちの一方に隣接して配置することができ、その電極はさらに、導電性シリコン層に隣接して配置することができる。
【００２０】
方法２１１は、ブロック２４５において、発光材料層の第２の側からの画像情報を表示することを含むことができる。いくつかの実施形態において、方法２１１は、ブロック２４１又は２４５のいずれかにおいてカメラビューファインダ画像情報として画像情報を表示すること、及びハンドヘルドデバイス主要情報ディスプレイ（たとえば、開いた折畳式携帯電話のメインディスプレイ、又はカメラ背面モニタディスプレイ）の一部として画像情報を表示すること、及び／又は車両フロントガラス上に画像情報を表示することを含むことができる。
【００２１】
方法２１１は、鏡像を提供するために、ブロック２５１及び２５５においてそれぞれ、画像情報を反射すること、及び／又は画像情報を合焦することを含むことができる。いくつかの実施形態において、方法２１１は、ブロック２６１において、補助視認表面に画像情報を投影することを含むことができる。
【００２２】
本明細書において記述される方法は、記述される順序で、又は任意の特定の順序で実行される必要はないことに留意されたい。さらに、本明細書において特定される方法に関して記述される種々の作業は、繰返して、又は同時に、又は順次に、又は並行して実行することができる。パラメータ、コマンド、オペランド及び他のデータを含む情報は、１つ又は複数の搬送波の形で送信及び受信することができる。
【００２３】
本開示の内容を読み理解すると、ソフトウエアプログラム内に定義される機能を実行するために、ソフトウエアプログラムを、コンピュータベースシステム内のコンピュータ読取り可能媒体から送出することが可能な方法が、当業者には理解されよう。当業者はさらに、本明細書において開示される方法を実現し、実行するように設計される１つ又は複数のソフトウエアプログラムを作成するために用いることができる種々のプログラミング言語を理解されよう。そのプログラムは、Ｊａｖａ、Ｓｍａｌｌｔａｌｋ又はＣ＋＋のようなオブジェクト指向言語を用いて、オブジェクト指向形式で構成することができる。別法では、そのプログラムは、アセンブラ又はＣのような手続き形言語を用いて、手続き向き形式で構成することができる。そのソフトウエアコンポーネントは、遠隔手続き呼出を含む、アプリケーションプログラムインターフェース又はプロセス間通信技法のような、当業者によく知られている多数の仕組みのうちのいずれかを用いて通信することができる。種々の実施形態の教示は、ハイパーテキストマークアップ言語（ＨＴＭＬ）及び拡張可能マークアップ言語（ＸＭＬ）を含む、任意の特定のプログラミング言語又は環境には限定されない。したがって、他の実施形態も実現可能である。
【００２４】
図３は、コンピュータ、メモリシステム、磁気ディスク若しくは光ディスク、いくつかの他の記憶デバイス、及び／又は任意のタイプの電子デバイス又はシステムのような、種々の実施形態による物品３８５のブロック図である。物品３８５は、関連する情報３９１（たとえば、コンピュータプログラム命令及び／又はデータ）を有するメモリ３８９（たとえば、電気的、光学的又は電磁的伝導体を含むメモリ）のような機械アクセス可能媒体に接続されるプロセッサ３８７を備えることができ、その情報がアクセスされる結果として、機械（たとえば、プロセッサ３８７）が、非不透明電極のうちの一方に隣接する（たとえば、導電性シリコン層に隣接する）透明基板を通じて、一対の非不透明電極間に配置される発光材料層の第１の側からの画像情報を表示するような動作を実行するようになる。さらに別の動作は、特に、おそらくハンドヘルドデバイス主要情報ディスプレイの一部として、又は車両フロントガラス上に、発光材料層の第２の側からの画像情報を表示することを含むことができる。
【００２５】
本明細書において開示される装置、システム及び方法を実現することによって、両側から視認可能である（たとえば、一方の側では鏡像を与える）ディスプレイを含む、多数の応用形態において用いることができる２画面ディスプレイを提供することができる。たとえば、ｃ−Ｓｉ構成を使用することによって、さらに小さな設計ルールを実現できるようになれば、解像度をさらに高くできることが可能である。ガラス基板上に２画面デバイスを直に製造することによって、製造コストを削減することもできる。
【００２６】
本明細書の一部を構成する添付の図面は、本発明の主題を実施することができる具体的な実施形態を例示しており、限定するものではない。例示される実施形態は、本明細書において開示される教示を当業者が実施できるようにするほど十分に詳細に記述される。それらの実施形態から他の実施形態を利用し、導出することができ、本開示の範囲から逸脱することなく、構造的及び論理的な代用及び変更を行うことができる。それゆえ、この「詳細な説明」は限定する意味に解釈されるべきではなく、種々の実施形態の範囲は、添付の特許請求の範囲が権利を有する等価物の全範囲と共に、その添付の特許請求の範囲によってのみ規定される。
【００２７】
本発明の主題に関するそのような実施形態は、用語「本発明」によって個々に、及び／又はまとめて、本明細書において参照されることがあるが、それは単に便宜的であり、実際に２つ以上が開示される場合には、本出願の範囲を１つの発明又は発明概念に自ら限定することは意図していない。したがって、本明細書において、具体的な実施形態が図示及び説明されてきたが、同じ目的を果たすように意図された任意の構成を、示される具体的な実施形態の代わりに用いることができることは理解されたい。本開示は、種々の実施形態のありとあらゆる適合又は変形を包含することを意図している。上記の説明を検討し直せば、上記の実施形態の組み合わせ、及び本明細書では具体的には記述されない他の実施形態が当業者には明らかになるであろう。
【００２８】
「開示内容の要約」は、読者が技術的開示の性質を迅速に確認できるようにする要約書を要求する、米国特許法施行規則第１．７２条（ｂ）項に準拠するために提供される。それは、特許請求の範囲又は意味を解釈又は限定するために用いられないという了解の下で提出される。さらに、上記の「詳細な説明」では、本開示を簡潔にするために、種々の特徴が１つの実施形態にまとめられていることが分かる。開示のこの方法は、特許請求される実施形態が、各請求項において明確に列挙される特徴よりも多くの特徴を必要とするという意図を反映するものと解釈されるべきではない。むしろ、添付の特許請求の範囲が表すように、本発明の主題は、ただ１つの開示される実施形態の全ての特徴よりも少ない特徴の中にある。したがって、各請求項がそのままで１つの別個の実施形態になるものとして、添付の特許請求の範囲が「詳細な説明」に援用される。
【図面の簡単な説明】
【００２９】
【図１Ａ】本発明の種々の実施形態による装置及びシステムのブロック図である。
【図１Ｂ】本発明の種々の実施形態による装置及びシステムのブロック図である。
【図２】本発明の種々の実施形態によるいくつかの方法を示す流れ図である。
【図３】種々の実施形態による物品のブロック図である。
【図１Ａ】
2008544501.tif 000003
【図１Ｂ】
2008544501.tif 000004
【図２】
2008544501.tif 000005
【図３】
2008544501.tif 000006
【国際調査報告】
2008544501.tif 000007
2008544501.tif 000008
2008544501.tif 000009